(57)【要約】【課題】機内に発生した結露水を所定の排水口に導くための樋を容易に取り付けることができるとともに、自動販売機全体の製造コストの低減化を図ることができる自動販売機を提供すること。【解決手段】外箱（自動販売機本体）１０の内部に断熱構造を有する商品収容庫２０を構成し、該商品収容庫２０に商品を収容するようにした自動販売機において、外箱１０を構成する外箱底板１４に支持された固定用金具（固定部材）７０と、固定用金具７０に固定され、商品収容庫２０の内外の温度差により発生した結露水を所定の排水口に導くための樋９０とを備えたものである。樋９０は、排水口に向かって傾斜する態様の排水溝９１を有して成ることが好ましい。【選択図】        図５
2005250876.tif 000002
【特許請求の範囲】
【請求項１】
自動販売機本体の内部に断熱構造を有する商品収容庫を構成し、該商品収容庫に商品を収容するようにした自動販売機において、
前記自動販売機本体を構成する底板に支持された固定部材と、
前記固定部材に固定され、前記商品収容庫の内外の温度差により発生した結露水を所定の排水口に導くための樋と
を備えたことを特徴とする自動販売機。
【請求項２】
前記樋は、前記排水口に向かって傾斜する態様の排水溝を有して成ることを特徴とする請求項１に記載の自動販売機。
【発明の詳細な説明】
【技術分野】
【０００１】
本発明は、自動販売機に関し、より詳細には、断熱構造を有する商品収容庫の内外の温度差により発生した結露水を所定の排水口に導くための構造に工夫を施した自動販売機に関する。
【背景技術】
【０００２】
例えば缶入り飲料やペットボトル入り飲料等の商品を販売する自動販売機においては、前面が開口した外箱（自動販売機本体）の内部に断熱構造を有する商品収容庫が設けられており、この商品収容庫の内部雰囲気を加熱、もしくは冷却することによって該商品収容庫の内部に収容させた商品を所望の温度状態に維持するようにしている。例えば、ホット商品を販売する場合には、商品収容庫の内部を加熱ヒータにより５５℃程度に加熱する一方、コールド商品を販売する場合には、商品収容庫の内部を冷却ユニットにより５℃程度に冷却しており、利用者の選択した商品をそれぞれ最適販売温度で提供するようにしている。
【０００３】
商品収容庫は、外箱の内部に前面が開口した内箱を配設するとともに、これら外箱と内箱との間に断熱材を介在させることによって構成されている。内箱は、金属板によって箱状に構成されたもので、十分な強度が確保されている。
【０００４】
一方、上記自動販売機には、外扉および内扉が設けられている。外扉は、外箱の前面開口を覆うに十分な大きさを有し、外箱の前面開口を開閉するためのもので、外箱の一側縁部に開閉可能に配設されている。内扉は、断熱構造を有し、かつ商品収容庫の前面を覆うに十分な大きさを有するものであって、商品収容庫の前面開口を開閉するためのものである。この内扉は、外扉よりも内方となる位置において外箱の一側縁部に開閉可能に配設されている。
【０００５】
そのような自動販売機では、断熱構造を有する商品収容庫の内外の温度差により発生した結露水を所定の排水口に導くために、内扉の下端部に該内扉の全幅にわたって樋が設けられているものが提案されている（例えば、特許文献１）。
【０００６】
【特許文献１】特開２００２−２４５５２６号公報
【発明の開示】
【発明が解決しようとする課題】
【０００７】
ところが、上記特許文献１に提案されている自動販売機のように、内扉の下端部に樋を設けるには、内扉の所定の個所に凹部等の特殊な加工を施す必要があるとともに、自動販売機の組み立てや部品の運搬等を行う場合には内扉に樋を保護するための保護部材を設ける必要があった。このような特殊な加工や保護部材の必要性は、自動販売機の量産性を考慮すると、自動販売機全体の製造コストを増大させるものであった。
【０００８】
本発明は、上記実情に鑑みて、機内に発生した結露水を所定の排水口に導くための樋を容易に取り付けることができるとともに、自動販売機全体の製造コストの低減化を図ることができる自動販売機を提供することを目的とする。
【課題を解決するための手段】
【０００９】
上記目的を達成するために、本発明の請求項１に係る自動販売機は、自動販売機本体の内部に断熱構造を有する商品収容庫を構成し、該商品収容庫に商品を収容するようにした自動販売機において、前記自動販売機本体を構成する底板に支持された固定部材と、前記固定部材に固定され、前記商品収容庫の内外の温度差により発生した結露水を所定の排水口に導くための樋とを備えたことを特徴とする。
【００１０】
また、本発明の請求項２に係る自動販売機は、上記請求項１において、前記樋は、前記排水口に向かって傾斜する態様の排水溝を有して成ることを特徴とする。
【発明の効果】
【００１１】
本発明の自動販売機によれば、樋は、自動販売機本体を構成する底板に支持された固定部材に固定されているだけなので、従来のように内扉に特殊な加工を施す必要がなく、容易に取り付けることができ、しかも構造を簡易なものにすることができる結果、自動販売機全体に要する製造コストの低減化を図ることができるという効果を奏する。
【発明を実施するための最良の形態】
【００１２】
以下に添付図面を参照して、本発明に係る自動販売機の好適な実施の形態について詳細に説明する。
【００１３】
図１は、本発明の実施の形態に係る自動販売機を概念的に示したものである。ここで、例示する自動販売機は、缶入り飲料やペットボトル入り飲料等の商品を冷却、もしくは加熱した状態で販売するもので、外箱１０を備えている。
【００１４】
外箱１０は、図２および図３に示したように、複数の金属板を適宜組み合わせることによって構成したもので、前面が開口した箱状に構成してある。より具体的には、外箱天板１１、一対の外箱側板１２，１３、外箱底板１４、外箱背板１５を接合することによって箱状の外箱１０を構成するようにしている。一対の外箱側板１２，１３は、それぞれ外箱底板１４よりも下方に延在しており、互いの間に台座板１６を接合してある。
【００１５】
外箱１０には、その内部に断熱構造を有する商品収容庫２０が設けてある。商品収容庫２０は、内箱３０と、断熱材４０ａ〜４０ｅとから構成してある。内箱３０は、複数の金属板を適宜組み合わせることによって構成したもので、前面が開口した箱状に構成してある。より具体的には、内箱天板３１、一対の内箱側板３２，３３、内箱底板３４、内箱背板３５を接合することによって箱状の内箱３０を構成するようにしている。断熱材４０ａ〜４０ｅは、それぞれ例えば発泡ウレタン樹脂等から成り、外箱１０と内箱３０との間に介在している。
【００１６】
商品収容庫２０の内部は、断熱仕切板２１によって複数の室が画成してあり、それぞれの室には、商品収納ラック２２が配設してある一方、商品シュータ２３によって区画される下方部に冷却ユニット（図示せず）や加熱ヒータ（図示せず）が設けてある。商品収納ラック２２は、図には明示しないが、一対の側板の間にセグメントと称される湾曲形状の案内部材２４を配設することによって上下方向に延在する蛇行状の商品収納域を構成したもので、該商品収納域に商品を収納する一方、商品払出指令が与えられた場合に対応する商品の払い出しを行うものである。
【００１７】
このような商品収容庫２０においては、内部雰囲気を加熱、もしくは冷却することによって商品収納ラック２２に収納させた商品を所望の温度状態に維持するようにしている。例えば、ホット商品を販売する場合には、商品収容庫２０の内部雰囲気を加熱ヒータにより５５℃程度に加熱する一方、コールド商品を販売する場合には、商品収容庫２０の内部雰囲気を冷却ユニットにより５℃程度に冷却して、収納させた商品を所望の温度状態に維持するようにしている。
【００１８】
一方、上記自動販売機には、図１に示したように、外扉５０および内扉６０が設けてある。外扉５０は、外箱１０の前面開口を覆うに十分な大きさを有し、外箱１０の前面開口を開閉するためのもので、外箱１０の一側縁部に開閉可能に配設してある。図には明示していないが、外扉５０の前面には、商品を販売する際に必要となるディスプレイウィンドウ、商品選択押ボタン、紙幣挿通口、硬貨投入口、返却レバー、金額表示器、硬貨返却口、商品取出口５１が設けてある。
【００１９】
内扉６０は、断熱構造を有し、かつ商品収容庫２０の前面を覆うに十分な大きさを有するものであって、商品収容庫２０の前面開口を開閉するためのものである。この内扉６０は、外扉５０よりも内方となる位置において外箱１０の一側縁部に開閉可能に配設してある。また、内扉６０は、商品収容庫２０の各室に対応した下端部に商品搬出口扉６１を備えた商品搬出口６２を備えており、商品収納ラック２２から商品が商品シュータ２３に払い出された場合に商品搬出口６２を通じて商品を外部に搬出することが可能である。
【００２０】
図４および図５は、図１における自動販売機の要部、すなわち商品収容庫２０の下端部における前方領域の断面状態を示したものであり、図４は斜視図、図５は側面図である。
【００２１】
これら図４および図５において、外箱底板１４は、平板状の水平部１４ａと、水平部１４ａの前端縁部から直角に屈曲した長尺平板状の垂上部１４ｂと、垂上部１４ｂの延在縁部から水平部１４ａに対して平行に延在する態様で直角に屈曲した長尺平板状の折返部１４ｃとを有して形成してある。折返部１４ｃと水平部１４ａとの間には、外箱底板１４と内箱底板３４との間に介在する断熱材４０ｄの前端部分が進入して介在している。
【００２２】
外箱底板１４の前面には、固定用金具（固定部材）７０が取付部材（図示せず）により取り付けて配設してある。より詳細に説明すると、固定用金具７０は、外箱底板１４の垂上部１４ｂに対向する長尺平板状の取付部７１と、取付部７１の下端縁部から前方に延びる態様で直角に屈曲した前延部７２と、前延部７２の前縁端部から直角に屈曲した支持部７３と、上記取付部７１の上端延部から後方に延びる態様で直角に屈曲し、折返部１４ｃに対向する後延部７４とを有して形成してある。この固定用金具７０は、取付部７１が、対向する垂上部１４ｂに取付部材により取り付けられることにより配設してある。これにより、前延部７２は、水平部１４ａと同じ高さレベルで配設してあり、後延部７４は、対向する折返部１４ｃの上面を覆う態様で配設してある。
【００２３】
後延部７４と内箱底板３４との間には、間隙が形成してある。この間隙には、後延部７４、折返部１４ｃ、断熱材４０ｄおよび水平部１４ａのそれぞれを貫通して内箱底板３４を固定する固定ねじＮの周囲を覆う態様でスペーサＳが配設してある。スペーサＳは、樹脂材から形成して成り、固定ねじＮを通じて熱が周囲に伝達することを抑制するためのものである。取付部７１、前延部７２および支持部７３で形成される凹所７５には、図５に示したように、例えば発泡ウレタン樹脂等から成る断熱材７６が介在してある。より詳細には、前延部７２と内箱底板３４との間の間隙を埋める態様で断熱材７６が介在してある。
【００２４】
支持部７３は、締結手段Ｋを介して化粧枠８０および樋９０を固定支持するためのベースとなるものである。換言すると、支持部７３には、化粧枠８０および樋９０が締結手段Ｋを介して固定支持してある。化粧枠８０は、上端領域に屈曲されて形成した係合部８１と、前方に突出した態様のガスケット８２を有する基部８３とを有して形成してある。係合部８１は、内箱底板３４の前面に設けた起立片３４１に係合してある。基部８３は、支持部７３の前面に接した状態で配置してある。
【００２５】
樋９０は、例えば一枚の平板に加工を施して成るものであって、商品収容庫２０の全幅にわたって形成したものである。この樋９０は、下端部に形成された排水溝９１と、該排水溝９１を支持するための排水溝支持部９２とを有している。排水溝９１は、詳細は後述するが、自動販売機内で発生した結露水を所定の排水口（図示せず）に導くためのものである。この排水溝９１は、図５に示したように、上記排水口に向かって、すなわち図５において手前側に向かって漸次低くなる態様で傾斜している。排水溝支持部９２は、上端部分が化粧枠８０の基部８３の前面に接した状態で、該基部８３を介在させて締結手段Ｋを介して支持部７３に固定支持されている。
【００２６】
以上のような構成を有する自動販売機においては、内扉６０が閉動作して商品収容庫２０の前面開口を閉じた場合には、該商品収容庫２０の内部は密閉されて断熱状態になる。そして、該商品収容庫２０の内部雰囲気を加熱、もしくは冷却することによって、商品収納ラック２２に収納させた商品を所望の温度状態に維持することができる。このように商品収容庫２０の内部雰囲気を加熱、もしくは冷却する結果、商品収容庫２０の内部と外部との温度差が大きくなり、これにより商品収容庫２０の表面、特に内扉６０の前面に結露水が発生することになる。発生した結露水は、内扉６０の下端から落ちて樋９０に回収されることになり、回収された結露水は、排水溝９１を通って排水口に導かれる。
【００２７】
以上のような自動販売機によれば、樋９０は、外箱底板１４の前面に取り付けた固定用金具７０に固定支持されているだけなので、従来のように内扉に特殊な加工を施す必要がなく、容易に取り付けることができ、しかも構造を簡易なものにすることができる結果、自動販売機全体に要する製造コストの低減化を図ることができる。
【００２８】
また、上記自動販売機によれば、樋９０と化粧枠８０とを別体にしてあるため、化粧枠の下端部を屈曲させて排水溝を形成する場合と異なり、樋９０の排水溝９１を所定の排水口に向かって傾斜させることが容易にできる。そして、このように排水溝９１が排水口に向かって傾斜していることにより、該排水溝９１に結露水が溜まる虞れがない。
【００２９】
更に、上記自動販売機によれば、固定用金具７０を取り付けた後、該固定用金具７０の凹所７５に断熱材７６を介在させることができ、これにより商品収容庫２０の断熱効果をさらに向上させることができる。
【産業上の利用可能性】
【００３０】
以上のように、本発明に係る自動販売機は、例えば缶入り飲料、瓶入り飲料、紙パック入り飲料およびペットボトル入り飲料等の各種商品を冷却した状態、あるいは加温した状態で販売に有用である。
【図面の簡単な説明】
【００３１】
【図１】本発明の実施の形態に係る自動販売機を概念的に示した斜視図である。
【図２】図１に示した自動販売機の商品収容庫の構成を示す概念図である。
【図３】図１に示した自動販売機の商品収容庫の構成を示す概念図である。
【図４】図１に示した自動販売機の要部、すなわち商品収容庫の下端部における前方領域の断面状態を示した斜視図である。
【図５】図１に示した自動販売機の要部、すなわち商品収容庫の下端部における前方領域の断面状態を示した側面図である。
【符号の説明】
【００３２】
１０      外箱
１４      外箱底板
２０      商品収容庫
７０      固定用金具
７１      取付部
７２      前延部
７３      支持部
７４      後延部
８０      化粧枠
８１      係合部
８２      ガスケット
８３      基部
９０      樋
９１      排水溝
９２      排水溝支持部
【図１】
2005250876.tif 000003
【図２】
2005250876.tif 000004
【図３】
2005250876.tif 000005
【図４】
2005250876.tif 000006
【図５】
2005250876.tif 000007